(57)【要約】【課題】包装袋内へ異物が混入したり、包装袋内部の被収納物が取り出しにくくなることを防止しつつ、消費者の意図しない破れが破断線から生じることを防止した包装袋を提供すること。【解決手段】筒状の周面と上下面とで、内部に被収納物を収納する包装袋において、前記包装袋の水平方向に沿ってミシン目状に形成された中央破断線と、前記中央破断線の上下方向の少なくとも一方側であって、前記中央破断線の近傍位置に、上下方向の破断力が中央破断線の破断力よりも大きく、かつ水平方向に間欠に形成された隣接破断線と、が設けられ、前記中央破断線を破断することにより、被収納物を包装袋から取り出す構成とする。【選択図】図１
2014198588.tif 000002
【特許請求の範囲】
【請求項１】
筒状の周面と上下面とで、内部に被収納物を収納する包装袋において、
前記包装袋の水平方向に沿ってミシン目状に形成された中央破断線と、
前記中央破断線の上下方向の少なくとも一方側であって、前記中央破断線の近傍位置に、上下方向の破断力が中央破断線の破断力よりも大きく、かつ水平方向に間欠に形成された隣接破断線と、が設けられ、
前記中央破断線を破断することにより、被収納物を包装袋から取り出す構成としたことを特徴とする包装袋。
【請求項２】
前記中央破断線および隣接破断線は、製品状態で既に切断されているカット部と、カット部間に位置して切断可能とされたタイ部とから構成され、
前記中央破断線のタイ部の上下方向の少なくとも一方側に、前記隣接破断線のカット部が設けられ、
前記中央破断線のカット部の上下方向の少なくとも一方側に、前記隣接破断線のタイ部が設けられる請求項１記載の包装袋。
【請求項３】
前記隣接破断線は、斜め、Ｕ字、Ｖ字および×字の群から選ばれた形状のカット部を有する請求項１または２記載の包装袋。
【請求項４】
前記包装袋の周面に形成される中央破断線は、包装袋の周長のほぼ半分の長さで形成され、
前記中央破断線の上方には後処理テープが設けられ、
前記中央破断線を破断、被収納物を包装袋から取り出した状態から、包装袋を製品状態へ戻し、前記破断部分を後処理テープによって封じる構成とした請求項１〜３のいずれか１項に記載の包装袋。
【請求項５】
前記包装袋の周面の上半分に中央破断線および隣接破断線をそれぞれ設けるとともに、
前記包装袋の周面の下半分にも中央破断線および隣接破断線をそれぞれ設ける構成とした請求項１〜３のいずれか１項に記載の包装袋。
【請求項６】
前記包装袋は帯状の取っ手を有し、
前記取っ手の両基端部が包装袋の周面にそれぞれ固着され、
前記固着部の下方に位置する中央破断線の近傍には、隣接破断線が形成され、
前記固着部の下方以外に位置する中央破断線の近傍には、隣接破断線が形成されていない請求項１〜５のいずれか１項に記載の包装袋。
【請求項７】
前記包装袋内に、被収納物が水平方向に複数枚梱包されるとともに、上下方向にも複数段梱包され、
前記段と段の境界近傍に中央破断線が設けられ、
前記中央破断線の一部につまみ部が設けられ、
前記つまみ部を押し込み、押し込んだつまみ部を引くことにより、被収納物を包装袋から取り出す構成とした請求項１〜３または６のいずれか１項に記載の包装袋。
【請求項８】
前記包装袋内に、被収納物が水平方向に複数枚梱包されるとともに、上下方向にも複数段梱包され、
前記段と段の境界を挟んで、上方と下方に中央破断線がそれぞれ形成され、
それぞれの中央破断線は包装袋の周面を一周するように形成され、
上方の中央破断線を破断して上方の包装袋を外し、
下方の中央破断線を破断して下方の包装袋を外し、
包装袋の残った帯状部分を用いて、複数の被収納物をまとめたまま持ち運び可能とする請求項１〜３のいずれか１項に記載の包装袋。
【発明の詳細な説明】
【技術分野】
【０００１】
本発明は、使い捨ておむつや生理用ナプキン等の吸収性物品、トイレットペーパー等のロール紙、又はティッシュペーパー用カートン等の紙製衛生物品などを収納する包装袋に関するものである。
【背景技術】
【０００２】
従来の一般的な包装袋としては、図１７に示すように、包装袋の上面にミシン目状の破断線を形成したものが知られている。消費者はこの破断線を破断することにより、包装袋に開口を形成し、この開口から内部の被収納物を取り出す操作を行う。また、この包装袋の上面に、包装袋を持ち運ぶ際に用いる取っ手を備える形態が一般的である。
【０００３】
そのほか、ミシン目状の破断線を包装袋の周面に形成したものもよく知られている。包装袋の周面に破断線を形成した包装袋としては、例えば下記の特許文献１〜特許文献８に記載されたものがあり、その破断線の形成の仕方には様々な形態がある。
【先行技術文献】
【特許文献】
【０００４】
【特許文献１】特開２０１２−６６８３９号公報
【特許文献２】特表平０６−５０３５３７号公報
【特許文献３】特開２０１０−２１５２６５号公報
【特許文献４】特開２０１２−１２１５９２号公報
【特許文献５】特開２０１１−１７８４２２号公報
【特許文献６】特開２００６−２９０３８３号公報
【特許文献７】特開２００６−３４７６３３号公報
【特許文献８】特開２００６−２９０３５７号公報
【発明の概要】
【発明が解決しようとする課題】
【０００５】
しかし、図１７に示すような、包装袋の上面にミシン目状の破断線が形成された包装袋は、開封すると開口を覆う蓋が無いため、包装袋の上面部分に溜まっている異物が内部に混入する可能性や、虫などが侵入する可能性がある。また、包装袋の上面に取っ手を備えているため、被収納物を取り出す際に、被収納物が取っ手に当たって取り出しにくく、市販の入れ物に移す場合にも作業が煩わしい。
【０００６】
前記の各問題は、ミシン目状の破断線を包装袋の周面に形成することで解決することができる。即ち、包装袋の周面に形成した破断線を破断することで、被収納物が取り出しやすくなる。また、破断線を破断して、被収納物を取り出した後も、包装袋の上部を元に戻すことで、包装袋の上部が蓋の役割を果たし、異物の混入等を防ぐことができる。
【０００７】
しかし、包装袋の周面にミシン目状の破断線を形成した場合、破断力に対する耐久性が弱くなる。即ち、包装袋の取っ手を持って持ち運ぶ際に、包装袋内の被収納物の重さや障害物にぶつかった衝撃などにより、破れが生じやすい。また、包装袋を上下方向に軽く引っ張るだけでも、破れてしまう可能性が考えられる。
【０００８】
本発明は上記の問題に鑑みてなされたものであり、包装袋内へ異物が混入したり、包装袋内部の被収納物が取り出しにくくなることを防止しつつ、消費者の意図しない破れが破断線から生じることを防止することにある。
【課題を解決するための手段】
【０００９】
上記課題を解決した本発明は次記のとおりである。
【００１０】
＜請求項１記載の発明＞
筒状の周面と上下面とで、内部に被収納物を収納する包装袋において、
前記包装袋の水平方向に沿ってミシン目状に形成された中央破断線と、
前記中央破断線の上下方向の少なくとも一方側であって、前記中央破断線の近傍位置に、上下方向の破断力が中央破断線の破断力よりも大きく、かつ水平方向に間欠に形成された隣接破断線と、が設けられ、
前記中央破断線を破断することにより、被収納物を包装袋から取り出す構成としたことを特徴とする包装袋。
【００１１】
（作用効果）  
包装袋の周面に中央破断線を設ける構成とすることで、包装袋内へ異物が混入したり、包装袋内の被収納物が取り出しにくくなることを防止することができる。また、前記中央破断線の近傍位置に、隣接破断線を設けることで、その隣接破断線が、中央破断線が破断するのを防ぐクッションの役割を果たすこととなる。従って、隣接破断線を設けない場合と比べて、中央破断線を破断するために、より大きな破断力が必要となるため、包装袋内の被収納物の重さや障害物にぶつかった衝撃などにより、消費者の意図しない破れが生じることを防ぐことができる。
【００１２】
＜請求項２記載の発明＞
前記中央破断線および隣接破断線は、製品状態で既に切断されているカット部と、カット部間に位置して切断可能とされたタイ部とから構成され、
前記中央破断線のタイ部の上下方向の少なくとも一方側に、前記隣接破断線のカット部が設けられ、
前記中央破断線のカット部の上下方向の少なくとも一方側に、前記隣接破断線のタイ部が設けられる請求項１記載の包装袋。
【００１３】
（作用効果）
中央破断線のタイ部の上下方向の少なくとも一方側に、隣接破断線のカット部
を配置する。それにより、包装袋が上下方向に引っ張られた際に、隣接破断線のカット部が上下方向に延びるため、中央破断線のタイ部に加わる破断力が分散して弱められ、中央破断線のタイ部が破断にくくなる。そのため、消費者が包装袋の切開を意図していない場合に、包装袋に破れが生じるのを防ぐことができる。
【００１４】
一方、中央破断線のカット部の上下方向の少なくとも一方側には、隣接破断線のタイ部を配置する。それにより、包装袋が上下方向に引っ張られた際に、破断力がダイレクトにカット部へ加わることになる。
【００１５】
＜請求項３記載の発明＞
前記隣接破断線は、斜め、Ｕ字、Ｖ字および×字の群から選ばれた形状のカット部を有する請求項１または２記載の包装袋。
【００１６】
（作用効果）
隣接破断線の形状を、斜め、Ｕ字、Ｖ字、×字とする。それにより、隣接破断線を水平方向に直線状に設けた場合と比べて、隣接破断線の上下方向の破断力を大きくすることができる。その結果、中央破断線のタイ部にかかる破断力を、隣接破断線によって分散する効果が大きくなり、消費者が包装袋の切開を意図していない場合に、包装袋に破れが生じるのを防ぐことができる。
【００１７】
＜請求項４記載の発明＞
前記包装袋の周面に形成される中央破断線は、包装袋の周長のほぼ半分の長さで形成され、
前記中央破断線の上方には後処理テープが設けられ、
前記中央破断線を破断、被収納物を包装袋から取り出した状態から、包装袋を製品状態へ戻し、前記破断部分を後処理テープによって封じる構成とした請求項１〜３のいずれか１項に記載の包装袋。
【００１８】
（作用効果）
包装袋を一周するように中央破断線を設け、その中央破断線を全て破断すると、包装袋が上下に完全に分かれてしまう。従って、被収納物を包装袋から取り出すために、上下に分けた包装袋の上部を外した後に、その外した包装袋の上部を包装袋の蓋として用いるため、包装袋の上部を再び製品状態へ戻す際に手間がかかるという問題がある。そこで、本発明は、包装袋の周面に形成される中央破断線の長さを、包装袋の周長のほぼ半分にすることで、製品状態へ戻す際の手間を減らすことができる構成とした。
【００１９】
また、中央破断線の上方に後処理テープを設けることで、包装袋を製品状態へ戻した後、破断部分を後処理テープによって封じることができる。その結果、包装袋内への異物の混入などをより確かに防ぐことができる。また、包装袋上部に取っ手が形成されている場合であって、被収納物を取り出すために、中央破断線を破断した後であっても、その取っ手を持って包装袋を持ち運ぶことができる。
【００２０】
＜請求項５記載の発明＞
前記包装袋の周面の上半分に中央破断線および隣接破断線をそれぞれ設けるとともに、
前記包装袋の周面の下半分にも中央破断線および隣接破断線をそれぞれ設ける構成とした請求項１〜３のいずれか１項に記載の包装袋。
【００２１】
（作用効果）
包装袋の周面の上半分および下半分に、中央破断線をそれぞれ設けることで、包装袋の上部からも下部からも、包装袋内の被収納物を取り出すことができる。
【００２２】
＜請求項６記載の発明＞
前記包装袋は帯状の取っ手を有し、
前記取っ手の両基端部が包装袋の周面にそれぞれ固着され、
前記固着部の下方に位置する中央破断線の近傍には、隣接破断線が形成され、
前記固着部の下方以外に位置する中央破断線の近傍には、隣接破断線が形成されていない請求項１〜５のいずれか１項に記載の包装袋。
【００２３】
（作用効果）
包装袋の周面に中央破断線を設けた場合において、包装袋内の被収納物の重さが原因となって、一番大きな破断力がかかる場所は、包装袋の取っ手の下方に位置する部分である。従って、取っ手の下方に位置する中央破断線の近傍に、隣接破断線を形成することで、消費者が包装袋の切開を意図していないときに、包装袋に破れが生じるのを防ぐことができる。また、取っ手の下方以外に位置する中央破断線の近傍には、隣接破断線を形成しないことで、隣接破断線を設けることによる包装袋の見た目の悪化を防ぐことができる。
【００２４】
＜請求項７記載の発明＞
前記包装袋内に、被収納物が水平方向に複数枚梱包されるとともに、上下方向にも複数段梱包され、
前記段と段の境界近傍に中央破断線が設けられ、
前記中央破断線の一部につまみ部が設けられ、
前記つまみ部を押し込み、押し込んだつまみ部を引くことにより、被収納物を包装袋から取り出す構成とした請求項１〜３または６のいずれか１項に記載の包装袋。
【００２５】
（作用効果）
段と段の境界近傍に中央破断線を設けるとともに、中央破断線の一部につまみ部を設けることで、そのつまみ部を用いて容易に中央破断線を破断することができる。
【００２６】
＜請求項８記載の発明＞
前記包装袋内に、被収納物が水平方向に複数枚梱包されるとともに、上下方向にも複数段梱包され、
前記段と段の境界を挟んで、上方と下方に中央破断線がそれぞれ形成され、
それぞれの中央破断線は包装袋の周面を一周するように形成され、
上方の中央破断線を破断して上方の包装袋を外し、
下方の中央破断線を破断して下方の包装袋を外し、
包装袋の残った帯状部分を用いて、複数の被収納物をまとめたまま持ち運び可能とする請求項１〜３のいずれか１項に記載の包装袋。
【００２７】
（作用効果）
包装袋はポリエチレンシートなどの柔軟な材料で構成されることが多い。また、その包装袋内への被収納物の梱包は、被収納物を圧縮して、できる限り詰めるようにして行うことが多い。そのため、中央破断線を破断して上方および下方の包装袋を外した後であっても、残った包装袋の帯状部分によって、被収納物がバラバラにならずにまとまった状態を維持することができる。従って、包装袋の上方部分および下方部分を外した後であっても、この帯状部分を持って、複数の被収納物をまとめた状態で持ち運ぶことができる。
【発明の効果】
【００２８】
本発明によれば、包装袋内へ異物が混入したり、包装袋内部の被収納物が取り出しにくくなることを防止しつつ、消費者の意図しない破れが破断線から生じることを防止することができる包装袋を提供することができる。
【図面の簡単な説明】
【００２９】
【図１】本発明に係る包装袋の斜視図
【図２】本発明に係る包装袋の正面図
【図３】本発明に係る包装袋の側面図
【図４】本発明に係る包装袋を半分ほど開封したときの斜視図
【図５】本発明に係る包装袋を全て開封したときの斜視図
【図６】本発明の第二実施例に係る包装袋の斜視図
【図７】本発明の第二実施例に係る包装袋を開封したときの斜視図
【図８】本発明の第二実施例に係る包装袋を開封した後に、包装袋上部を元に戻した状態を示した斜視図
【図９】本発明の第三実施例に係る包装袋の斜視図
【図１０】本発明の第四実施例に係る包装袋の斜視図
【図１１】本発明の第五実施例に係る包装袋の斜視図
【図１２】本発明の第六実施例に係る包装袋の斜視図
【図１３】本発明の第六実施例に係る包装袋を全て開封したときの斜視図
【図１４】破断線が伸びた状態を示した図
【図１５】隣接破断線のバリエーションを示した図
【図１６】隣接破断線のバリエーションを示した図
【図１７】従来品に係る包装袋の斜視図
【図１８】従来品の包装袋を上下方向から引っ張った際の破断線の写真
【図１９】本発明品の包装袋を上下方向から引っ張った際の破断線の写真
【発明を実施するための形態】
【００３０】
以下、図面に示す実施の形態に基づいて本発明をさらに詳説する。図１〜図５は、本発明に係る包装袋１を示している。この包装袋１は、２枚の包装シートの幅方向両端部を融着または接着等によりシールし、筒状の周面２を形成したものである。そして、そのシール部分には結合部９が形成される。また、前記筒状の周面２の上方及び下方には、その周面２を覆うように、包装袋１の上面３及び下面４が形成される。
【００３１】
前記の包装袋１の中には、使い捨ておむつや生理用ナプキン等の吸収性物品、トイレットペーパー等のロール紙、又はティッシュペーパー用カートン等の紙製衛生物品などの被収納物１１が収納される。例えば、使い捨ておむつや生理用ナプキン等は、身体側表面を形成する透液性トップシートと、外面側に位置する液不透過性シートとの間に吸収体が介在する部分である吸収性本体部と、この吸収性本体部の両側縁からそれぞれ延出する部分であって、且つ吸収体を有しない部分であるサイドフラップとを有するものである。中でも、止着式使い捨ておむつやパンツ式使い捨ておむつの場合は、吸収性本体部ならびにサイドフラップ部の外面全体が外装部により形成され、外装部が所謂おむつカバーのように着用者の下腹部から臀部にかけての胴回り及び股間部全体を覆うようになっている。このような吸収性物品は、小さいものは折り畳まれずに包装されるが、大きいものは前後を合わせるような２つ折りまたは前後それぞれを中央にあわせるような３つ折りされて放送されることが一般的であり、場合によっては４つ折り以上に折り畳まれて包装されることもある（なお、図１〜図３に図示したような、パンツ式使い捨ておむつは、前身頃と後身頃の両側部が接合されるため、製品状態で２つ折りされている。）また、サイドフラップ部が大きい場合は、各サイドフラップは吸収体側部近傍に沿って内側に折り畳まれる。
【００３２】
前記被収納物１１を一つだけ収納することもできるが、被収納物１１を複数収納することの方が一般的である。図１〜図５の実施形態においては、被収納物１１としての使い捨ておむつを水平方向に複数枚並べるとともに、その水平方向に並べた被収納物１１を、上下方向に２段重ねた状態で梱包している。なお、図１〜図５においては、使い捨ておむつの股下部が包装袋１の上方に、使い捨ておむつの股上部が包装袋１の下方になるように重ね合わせている。そのため、図４、図５においては、使い捨ておむつの股間部に形成され、排尿の有無を消費者に知らせるためのお知らせマーク１２を見ることができる。
【００３３】
また、被収納物１１の梱包の際は、被収納物１１を圧縮した状態で包装袋１の下方から挿入した後、包装袋１の下面４をシールする。その結果、丸みを帯びたほぼ直方体形状の製品状態の包装袋１となる。
【００３４】
前記包装袋１には、持ち運びを容易にするための取っ手７が形成される。図１〜５の実施形態において、取っ手７は帯状の形状をしており、その取っ手７の両基端部が包装袋１の周面２にそれぞれ固着されている。そして、その帯状の取っ手７の中央には、ミシン目状の破断線８が形成されている。前記包装袋１と取っ手７は、包装袋１の周面２の上方位置で、融着または接着等により結合されている。
【００３５】
なお、包装袋１および取っ手７の素材としては、ポリエチレン（ＰＥ）、ポリプロピレン（ＰＰ）、ポリエチレンテレフタレート（ＰＥＴ）、ナイロンなど、通常包装に使用されるプラスチックフィルムを単体で又は複合素材として使用することができる。吸収性物品の分野では、ポリエチレンフィルムが好ましく、汎用されている。中でも柔軟性に富むＬＤＰＥ（低密度ポリエチレン：密度０．９００〜０．９２５ｇ／ｃｍ3）やＭＤＰＥ（中密度ポリエチレン：密度０．９２５〜０．９４０ｇ／ｃｍ3）が好適である。フィルムの厚みとしては、５０〜１００μｍ程度が好適である。包装袋１の素材は、前記のプラスチックフィルムが一般的であるが、紙や不織布等のシート材、またこれらを複合したシート材を用いてもよい。
【００３６】
前記包装袋１には、包装袋１の水平方向に沿ってミシン目状に形成された中央破断線５が設けられる。この中央破断線５は、製品状態で既に切断されているカット部Ｌ１と、カット部Ｌ１間に位置して切断可能とされたタイ部Ｌ２とから構成される。このカット部Ｌ１とタイ部Ｌ２の長さは任意に決めることができ、例えば、カット部Ｌ１の長さＬ３を１．０ｍｍ、タイ部Ｌ２の長さＬ４を３．０ｍｍとすることができる。しかし、カット部Ｌ１の長さＬ３を１．０〜１０．０ｍｍ、タイ部Ｌ２の長さＬ４を１．０〜１０．０ｍｍとするのがより好ましい。このように、包装袋１の周面２に中央破断線５を設ける構成とすることで、包装袋１内へ異物が混入したり、包装袋１内の被収納物１１が取り出しにくくなることを防止することができる。
【００３７】
また、前記中央破断線５の上下方向の少なくとも一方側であって、中央破断線５の近傍位置に、隣接破断線６が設けられる。この隣接破断線６は、上下方向の破断力が中央破断線５の破断力よりも大きいため、中央破断線５よりも破断にくい構成とされる。そして、この隣接破断線６も、包装袋１の周面２の水平方向に間欠に形成される。また、この隣接破断線６も、製品状態で既に切断されているカット部Ｍ１と、カット部間に位置して切断可能とされたタイ部Ｍ２とから構成される。このカット部Ｍ１とタイ部Ｍ２の長さは任意に決めることができ、例えば、カット部Ｍ１の長さＭ３を２．０ｍｍ、タイ部Ｍ２の長さＭ４を５．０ｍｍとすることができる。しかし、カット部Ｍ１の長さＭ３を１．０〜１０．０ｍｍ、タイ部Ｍ２の長さＭ４を１．０〜１０．０ｍｍとするのがより好ましい。このように、前記中央破断線５の近傍位置に、隣接破断線６を設けることで、その隣接破断線６が、中央破断線５が破断するのを防ぐクッションの役割を果たすこととなる。従って、隣接破断線６を設けない場合と比べて、中央破断線５を破断するために、より大きな破断力が必要となるため、包装袋１内の被収納物１１の重さや障害物にぶつかった衝撃などにより、消費者の意図しない破れが生じることを防ぐことができる。
【００３８】
この隣接破断線６のカット部Ｍ１の形状は、例えば、図１５（Ａ）〜（Ｅ）に示すように、斜め、Ｕ字、Ｖ字および×字の群から任意に選ぶことができる。なお、本発明は、カット部Ｍ１の形状を前記の各例に限定するものではないことを附言しておく。隣接破断線６の形状を前記のように構成することで、隣接破断線６を水平方向に直線状に設けた場合と比べて、隣接破断線６の上下方向の破断力を大きくすることができる。その結果、中央破断線５のタイ部Ｌ２にかかる破断力を、隣接破断線６によって分散する効果が大きくなり、消費者が包装袋１の切開を意図していない場合に、包装袋１に破れが生じるのを防ぐことができる。
【００３９】
また、図１５の各例においては、隣接破断線６を中央破断線５の上方と下方に各一列ずつ設けた例を示したが、上方のみ又は下方のみに設けるようにしても良い。また、図１６（Ａ）〜（Ｄ）に示すように、隣接破断線６を中央破断線５の上方と下方に各二列ずつ設けるなど、列の本数は任意に変更できる。また、隣接破断線６の本数を中央破断線５の上方と下方で異なるように形成しても良い。
【００４０】
なお、中央破断線５と隣接破断線６との間の長さは、例えば２．０ｍｍとすることができる。この中央破断線５と隣接破断線６との間の長さは、中央破断線５のカット部Ｌ１とタイ部Ｌ２の長さを考慮して、適宜設定することが好ましい。具体的には、中央破断線５のカット部Ｌ１の長さＬ３を４ｍｍ、タイ部Ｌ２の長さＬ４を６ｍｍにした場合、中央破断線５と隣接破断線６との間の長さＮを５ｍｍ〜１０ｍｍとすることにより、中央破断線５が破れにくくなる。ここで、中央破断線５と隣接破断線６との間の長さＮとは、隣接破断線６のカット部Ｍ１の中央破断線側の端部と、中央破断線５との間の垂直方向の長さをいう。その他、各カット部及びタイ部の長さ等については、図１４（Ｄ）に示した。
【００４１】
また、図１６（Ａ）に示すように、隣接破断線６のカット部Ｍ１の形状を全て同一形状にしても良いが、図１６（Ｂ）や（Ｃ）に示すように、それぞれの列毎に異なる形状としても良い。さらに、図１６（Ｄ）に示すように、一列の隣接破断線６のうちでも、カット部Ｍ１の形状をそれぞれ異なるようにしても良い。
【００４２】
また、図１４（Ｃ）に示すように、隣接破断線６のカット部Ｍ１は、包装袋１の周面２の水平方向から所定の角度をつけて形成する。図１４（Ｃ）においては、包装袋１の周面２の水平方向を補助線１７で表している。隣接破断線６のカット部Ｍ１は、この補助線１７に対して所定の角度αをつけて構成する。このαの角度は、０度＜α＜９０度の間で決定することができるが、後述の破断力が最大となる４５度が最も好ましい。
【００４３】
さらに、中央破断線５のタイ部Ｌ２の上下方向の少なくとも一方側に、隣接破断線６のカット部Ｍ１を設けるのが好ましい。その結果、包装袋１が上下方向に引っ張られた際に、隣接破断線６のカット部Ｍ１が上下方向に延びるため、中央破断線５のタイ部Ｌ２に加わる破断力が分散して弱められ、中央破断線５のタイ部Ｌ２が破断にくくなる。そのため、消費者が包装袋１の切開を意図していない場合に、包装袋１に破れが生じるのを防ぐことができる。
【００４４】
また、中央破断線５のカット部Ｌ１の上下方向の少なくとも一方側に、隣接破断線６のタイ部Ｍ２を設けることが好ましい。その結果、包装袋１が上下方向に引っ張られた際に、破断力がダイレクトにカット部Ｌ１へ加わることになる。
【００４５】
なお、中央破断線５のタイ部Ｌ２の上下方向の少なくとも一方側に、隣接破断線６のタイ部Ｍ２を設けることもできる。同様に、中央破断線５のカット部Ｌ１の上下方向の少なくとも一方側に、隣接破断線６のカット部Ｍ１を設けることもできる。
【００４６】
図１４（Ａ）に、中央破断線５及び隣接破断線６に破断力がかかる前の状態を示す。また、図１４（Ｂ）に、中央破断線５及び隣接破断線６に破断力がかかった後の状態を示す。
【００４７】
中央破断線５及び隣接破断線６に上下方向の破断力がかかると、各破断線のカット部Ｌ１、Ｍ１の形状が、図１４（Ｂ）の各矢印方向へ広がり、そのカット部Ｌ１、Ｍ１の内部に空洞が生じる。包装袋１の周面２に中央破断線５のみ設けた場合は、上下方向の切裂き力がダイレクトに中央破断線５へかかるため、中央切れ裂き線が破れやすい。しかし、中央切れ裂き線の近傍に隣接破断線６を設けることで、隣接破断線６がクッションの様な役割を果たすため、中央破断線５が破断しにくくなる。その結果、消費者が包装袋１の切開を意図していない場合に、包装袋１に破れが生じるのを防ぐことができる。
【００４８】
なお、消費者が中央破断線５の破断を望んでいる場合は、より大きな破断力を中央破断線５にかけることになる。そして、その破断力によって、中央破断線５が破断し、包装袋１に開口が生じることとなる。この開口から、内部の被収納物１１を包装袋１から取り出すことができる。
【００４９】
図６〜図８は、第二実施例にかかる包装袋１を示したものである。第一実施例においては、包装袋１の周面２に形成される中央破断線５は、包装袋１を水平方向に一周するように形成したが、第二実施例においては、中央破断線５を包装袋１の周長のほぼ半分の長さだけ形成している。また、前記中央破断線５の両端部には、その先の部分の破断を防ぐための破断止め１４を設けるのが好ましい。消費者は、包装袋１の内部の被収納物１１を取り出すために、前記中央破断線５を破断する。そして、被収納物１１を包装袋１から取り出した後、包装袋１内部に異物等が混入しないように、包装袋１を製品状態へ戻すこととなる。
【００５０】
包装袋１を一周するように中央破断線５を設け、その中央破断線５を全て破断すると、包装袋１が上下に完全に分かれてしまう。従って、被収納物１１を包装袋１から取り出すために、上下に分けた包装袋１の上部を外した後に、その外した包装袋１の上部を包装袋１の蓋として用いるため、包装袋１の上部を再び製品状態へ戻す際に手間がかかるという問題がある。そこで、本発明の第二実施例においては、包装袋１の周面２に形成される中央破断線５の長さを、包装袋１の周長のほぼ半分にすることで、製品状態へ戻す際の手間を減らすことができる構成とした。
【００５１】
また、前記中央破断線５の上方には後処理テープ１３を設けることが好ましい。この後処理テープ１３を設けることで、包装袋１を製品状態へ戻した後、破断部分を後処理テープ１３によって封じることができる。その結果、包装袋１内への異物の混入などをより確かに防ぐことができる。また、包装袋１上部に取っ手７が形成されている場合であって、被収納物１１を取り出すために、中央破断線５を破断した後であっても、その取っ手７を持って包装袋１を持ち運ぶことができる。なお、図６に示した製品状態において、後処理テープ１３は、二度折り畳んで三層構造になっている。そして、図８に示すように、後処理テープ１３を使用する段階で、その後処理テープ１３を下方へ引き伸ばし、中央破断線５の破断した箇所を、後処理テープ１３によって結合している。なお、この後処理テープ１３の形状や、折り畳み回数などは任意に変更することができる。
【００５２】
図９は、第三実施例にかかる包装袋１を示したものである。第三実施例においては、包装袋１の周面２の上半分に中央破断線５および隣接破断線６をそれぞれ設けるとともに、包装袋１の周面２の下半分にも中央破断線５および隣接破断線６をそれぞれ設ける構成とした。このように、包装袋１の周面２の上半分および下半分に、中央破断線５をそれぞれ設けることで、包装袋１の上部からも下部からも、包装袋１内の被収納物１１を取り出すことができる。
【００５３】
図１０は、第四実施例にかかる包装袋１を示したものである。第四実施例においては、取っ手７と包装袋１との固着部の下方に位置する中央破断線５の近傍に、隣接破断線６が形成する。そして、前記固着部の下方以外に位置する中央破断線５の近傍には、隣接破断線６を形成しないようにする。
【００５４】
包装袋１の周面２に中央破断線５を設けた場合において、包装袋１内の被収納物１１の重さが原因となって、一番大きな破断力がかかる場所は、包装袋１の取っ手７の下方に位置する部分である。従って、取っ手７の下方に位置する中央破断線５の近傍に、隣接破断線６を形成することで、消費者が包装袋１の切開を意図していないときに、包装袋１に破れが生じるのを防ぐことができる。また、取っ手７の下方以外に位置する中央破断線５の近傍には、隣接破断線６を形成しないことで、隣接破断線６を設けることによる包装袋１の見た目の悪化を防ぐことができる。
【００５５】
図１１は、第五実施例にかかる包装袋１を示したものである。図１１においては、被収納物１１である使い捨ておむつが、水平方向に複数枚並べられるとともに、その水平方向に並べられたおむつが上下２段に重ねられて、包装袋１に梱包されている。そして、前記の段と段の境界近傍に中央破断線５が設けられる。また、中央破断線５の一部には、半円形に形成されたつまみ部１５が設けられる。消費者は、包装袋１を開封しようとする場合に、前記つまみ部１５を押し込み、押し込んだつまみ部１５を引くことにより、容易に中央破断線５を破断して、被収納物１１を包装袋１から取り出すことができる。
【００５６】
なお、図１１では、被収納物１１を２段に重ねた例を示したが、被収納物１１を３段以上重ねた場合であっても同様に、段と段の境界近傍に中央破断線５を設けると良い。被収納物１１を３段以上重ねた場合、いずれかの段と段の間に中央破断線５を設ければ、包装袋１を開封することができるが、被収納物１１の取り出しやすさを考えると、すべての段と段の間に中央破断線５を設けるのが好ましい。
【００５７】
また、図１１においては、つまみ部１５の形状を半円形としてが、この形状に限られるものではなく、Ｖ字状や円状など、任意の形状を採用することができる。なお、消費者がつまみ部１５を容易に押し込むことができるようにするため、つまみ部１５の周囲には、隣接破断線６を設けないほうが好ましい。
【００５８】
図１２及び図１３は、第六実施例にかかる包装袋１を示したものである。図１２及び図１３においても、被収納物１１である使い捨ておむつが、水平方向に複数枚並べられるとともに、その水平方向に並べられたおむつが上下２段に重ねられて、包装袋１に梱包されている。そして、前記段と段の境界線を挟むように、その境界線の上方と下方に中央破断線５がそれぞれ形成される。このとき、それぞれの中央破断線５は包装袋１の周面２を一周するように形成される。
【００５９】
消費者は、包装袋１を開封する際に、上方の中央破断線５を破断して上方の包装袋１を外し、下方の中央破断線５を破断して下方の包装袋１を外す。その結果、図１３に示すように、包装袋１の残っている部分が帯状を呈する。そして、この帯状部分１６を用いて、消費者は、複数の被収納物１１をまとめたまま持ち運びすることができる。
【００６０】
前述のとおり、包装袋１はポリエチレンシートなどの柔軟な材料で構成されることが多い。また、その包装袋１内への被収納物１１の梱包は、被収納物１１を圧縮して、できる限り詰めるようにして行うことが多い。そのため、中央破断線５を破断して上方および下方の包装袋１を外した後であっても、残った包装袋１の帯状部分１６によって、被収納物１１がバラバラにならずにまとまった状態を維持することができる。従って、包装袋１の上方部分および下方部分を外した後であっても、この帯状部分１６を持って、複数の被収納物１１をまとめた状態で持ち運ぶことができるのである。
【００６１】
以下、本発明を実験例１および実験例２に基づいて説明する。ただし、下記の各実験例は、本発明の内容を例示するものに過ぎず、発明の範囲がこれらの実験例によって限定されるものではない。
【００６２】
（実験例１）
（試験用のフィルム片）
フィルム片：厚さ６５μｍのポリエチレンフィルムを用い、このポリエチレンフィルムの引き伸ばし方向（上下方向）と平行な一方向の長さを５４ｃｍ、それに直交する方向の長さを５ｃｍとする矩形状のフィルム片を作成して試験に用いた。
【００６３】
（破断強度の測定）
引張試験機（島津製作所製 オートグラフ、型式：AG-10KNX、2010年製 No.133004801347）を用いて試験した。本発明品及び従来品の各フィルム片の一端５ｃｍを上チャック挾持するとともに、挾持用片部５ｃｍを下チャックで挾持して、上チャックを速度100mm／minで30mm上昇させる。このとき、中央破断線が破断する破断強度［N］を測定した。上記の試験を各フィルム片について5回ずつ行った。
【００６４】
（従来例：中央破断線）
カット部の長さ：５ｍｍ
タイ部の長さ：１ｍｍ
中央破断線５を構成する複数のカット部とタイ部はオルファ製ロータリーカッターを用いて作製し、各カット部およびタイ部の長さは全て同一とした。
上記カット部の形成方向：ポリエチレンフィルムの引き伸ばし方向（上下方向）と垂直方向
【００６５】
上記の条件のもとで、破断強度を測定した。その結果を表１に示す。
【表１】
2014198588.tif 000003
【００６６】
（本発明）
（図１４（Ａ）のケース）
図１４（Ａ）と同様に、中央破断線５および隣接破断線６Ａ、６Ｂを形成して、実験を行った。このとき、中央破断線５のカット部Ｌ１の長さを５ｍｍ、タイ部Ｌ２の長さを１ｍｍとした。また、隣接破断線６のカット部Ｍ１と補助線１７の間の角度αは、４５°とした。さらに、隣接破断線６の長さＭ３を１４ｍｍとした。
【００６７】
上記の条件のもとで、中央破断線５と隣接破断線６の間の距離Ｎを任意に変え、破断強度を測定した。その結果を表２に示す。
【表２】
2014198588.tif 000004
【００６８】
（図１６（Ａ）のケース）
図１６（Ａ）と同様に、中央破断線５および隣接破断線６Ａ、６Ｂを形成して、実験を行った。このとき、中央破断線５のカット部Ｌ１の長さを５ｍｍ、タイ部Ｌ２の長さを１ｍｍとした。また、隣接破断線６のカット部Ｍ１と補助線１７の間の角度αは、４５°とした。さらに、隣接破断線６の長さＭ３を１４ｍｍとした。また、中央破断線５の上方に形成した、二列の隣接破断線６Ａ、６Ａの間の長さ（上方の隣接破断線６Ａの下端の高さと、下方の隣接破断線６Ａの上端の高さの間の距離）は、１０ｃｍとした。同様に、中央破断線５の下方に形成した、二列の隣接破断線６Ｂ、６Ｂの間の長さ（上方の隣接破断線６Ｂの下端の高さと、下方の隣接破断線６Ｂの上端の高さの間の距離）も、１０ｃｍとした。
【００６９】
上記の条件のもとで、二列の隣接破断線６Ａ、６Ａのうち下方の隣接破断線６Ａと、中央破断線５との間の距離Ｎを任意に変えた。同様に、二列の隣接破断線６Ｂ、６Ｂのうち上方の隣接破断線６Ｂと、中央破断線５との間の距離Ｎを任意に変えた。そして、破断強度を測定した。その結果を表３に示す。
【表３】
2014198588.tif 000005
【００７０】
（評価）
中央破断線５が裂ける際のポリエチレンフィルムの張力は、従来品では平均値が12.2 Nであるが、本発明品では図１４（Ａ）のケースでは最大17.1N、図１６（Ａ）のケースでは最大17.7Nに上昇した。図１５（Ｄ）のケースでは隣接破断線６から破断し最大強度10.0Nに低下した。
【００７１】
従って、中央破断線５の近傍に隣接破断線６を設けることにより、中央破断線が破れにくくなったことが分かった。これにより、ポリエチレンフィルムの厚さに関わらず、隣接破断線６を設けることで、中央破断線５を意図せずに破断してしまう可能性を減らすことができると考えられる。
【００７２】
（実験例２）
（包装袋）
実験２では、図１の形状の包装袋１を用いた。この包装袋１の奥行（マチ）は１４５ｍｍ、高さは４４０ｍｍ、幅は１９５ｍｍである。また、この包装袋１の素材は、厚さ６５μｍのポリエチレンフィルム（福助工業株式会社製）からなる。
【００７３】
（被収納物）
前記包装袋１の上段（取っ手７側）には、乳幼児用おむつ（左右の幅１４５ｍｍ、上下の長さ２２０ｍｍ、厚さ１４ｍｍ）を２０枚（計７００ｇ）詰めた。また、下段（取っ手７と反対側）にも、同様の乳幼児用おむつ（左右の幅１４５ｍｍ、上下の長さ２２０ｍｍ、厚さ１４ｍｍ）を２０枚（合計７００ｇ）詰めた。
【００７４】
本実験においては、当初予定していた市販品の包装袋１（５０〜６０枚のおむつを詰めることが可能）よりも一回り小さい包装袋１を用いた。そのため、当初詰める予定であったが、実験に用いた包装袋１内に詰め切れないおむつが発生した（１４枚）。そこで、前記包装袋１の下段に、ステンレス製の板（正面幅１２５ｍｍ、奥行き５０ｍｍ、高さ１４ｍｍ）を１枚（５００ｇ）詰めた。このステンレス製の板は、包装袋１内に詰めきれなかったおむつの重量を加算するために、便宜的に詰めたものであり、約１４枚分のおむつの重量に相当する。
【００７５】
（実験装置）
上下運動装置（カトーテック株式会社製、平成１３年製）を用いた。
【００７６】
（実験方法）
１．前記包装袋１の高さ方向中央に、中央破断線５を形成した。また、この中央破断線５は、包装袋１を一周するように設けた。
２．前記中央破断線５の上下に、隣接破断線６Ａおよび６Ｂを形成した。
３．前記包装袋１の下面４だけが開口し、その他の部分は密閉されている状態で、下面４の開口部分から、上段用のおむつ、下段用のおむつ、ステンレス製の板を順番に詰め込み、その後に、開口部分をガムテープによって封じた。
４．前記の被収納物を詰めた包装袋１の取っ手７部分を実験装置に固定した。そして、この実験装置によって、包装袋１を上下運動させた。より詳細には、上下方向４０ｃｍの距離を１秒間に１往復させる上下運動を行った。
５．そして、包装袋１を一周するように設けた中央破断線５の全てが破れ、包装袋１の下段部分が落下するまでに、上下運動を何回要するか測定した。
【００７７】
（図１４（Ａ）のケース）
図１４（Ａ）と同様に、中央破断線５および隣接破断線６Ａ、６Ｂを形成して、実験を行った。このとき、中央破断線５のカット部Ｌ１の長さを５ｍｍ、タイ部Ｌ２の長さを１ｍｍとした。また、隣接破断線６のカット部Ｍ１と補助線１７の間の角度αは、４５°とした。さらに、隣接破断線６の長さＭ３を１４ｍｍとした。
【００７８】
上記の条件のもとで、中央破断線５と隣接破断線６の間の距離Ｎを任意に変え、包装袋１の下段が落下までの回数をカウントした。その結果を表４に示す。
【表４】
2014198588.tif 000006
【００７９】
（図１６（Ａ）のケース）
図１６（Ａ）と同様に、中央破断線５および隣接破断線６Ａ、６Ｂを形成して、実験を行った。このとき、中央破断線５のカット部Ｌ１の長さを５ｍｍ、タイ部Ｌ２の長さを１ｍｍとした。また、隣接破断線６のカット部Ｍ１と補助線１７の間の角度αは、４５°とした。さらに、隣接破断線６の長さＭ３を１４ｍｍとした。また、中央破断線５の上方に形成した、二列の隣接破断線６Ａ、６Ａの間の長さ（上方の隣接破断線６Ａの下端の高さと、下方の隣接破断線６Ａの上端の高さの間の距離）は、１０ｃｍとした。同様に、中央破断線５の下方に形成した、二列の隣接破断線６Ｂ、６Ｂの間の長さ（上方の隣接破断線６Ｂの下端の高さと、下方の隣接破断線６Ｂの上端の高さの間の距離）も、１０ｃｍとした。
【００８０】
上記の条件のもとで、二列の隣接破断線６Ａ、６Ａのうち下方の隣接破断線６Ａと、中央破断線５との間の距離Ｎを任意に変えた。同様に、二列の隣接破断線６Ｂ、６Ｂのうち上方の隣接破断線６Ｂと、中央破断線５との間の距離Ｎを任意に変えた。そして、包装袋１の下段が落下までの回数をカウントした。その結果を表５に示す。
【表５】
2014198588.tif 000007
【００８１】
（評価）
隣接破断線６を設けることにより、中央破断線５が破れにくくなった。また、中央破断線５と隣接破断線６の間の距離Ｎを長くするほど、中央破断線５が破れにくくなった。また、隣接破断線６の形状を中央破断線５へ向かって突出するＶ字状にすることにより、中央破断線５が破れにくくなった。さらに、隣接破断線６を設ける列数を多くするほど、中央破断線５が破れにくくなった。
【符号の説明】
【００８２】
１…包装袋
２…（包装袋の）周面
３…（包装袋の）上面
４…（包装袋の）下面
５…中央破断線
５Ｘ…中央破断線の破断力がかかる前の状態
５Ｙ…中央破断線の破断力がかかった後の状態
６…隣接破断線
６Ａ…（中央破断線より上方に位置する）隣接破断線
６ＡＸ…（中央破断線より上方に位置する）隣接破断線の破断力がかかる前の状態
６ＡＹ…（中央破断線より上方に位置する）隣接破断線の破断力がかかった後の状態
６Ｂ…（中央破断線より下方に位置する）隣接破断線
６ＢＸ…（中央破断線より下方に位置する）隣接破断線の破断力がかかる前の状態
６ＢＹ…（中央破断線より下方に位置する）隣接破断線の破断力がかかった後の状態
７…取っ手
８…（取っ手に形成された）破断線
９…（包装シートの）結合部
１０…（包装袋の上面に形成された）破断線
１１…被収納物
１２…被収納物のお知らせマーク
１３…後処理テープ
１３Ａ…（後処理テープの）持ち手部分
１３Ｂ…（後処理テープの山折りの）折り目
１３Ｃ…（後処理テープの谷折りの）折り目
１４…破断止め
１５…（中央破断線の）つまみ部
１６…（包装袋の）帯状部分
１７…隣接破断線の傾斜角度を説明するための補助線
Ｌ１…中央破断線のカット部
Ｌ２…中央破断線のタイ部
Ｌ３…中央破断線の１つのカット部の長さ
Ｌ４…中央破断線の１つのタイ部の長さ
Ｍ１…隣接破断線のカット部
Ｍ２…隣接破断線のタイ部
Ｍ３…隣接破断線の１つのカット部の長さ
Ｍ４…隣接破断線の１つのタイ部の長さ
Ｍ５…隣接破断線のカット部とカット部の間の長さ
Ｍ６…隣接破断線のタイ部とタイ部の間の長さ
Ｎ…中央破断線と隣接破断線との間の長さ
【図１】
2014198588.tif 000008
【図２】
2014198588.tif 000009
【図３】
2014198588.tif 000010
【図４】
2014198588.tif 000011
【図５】
2014198588.tif 000012
【図６】
2014198588.tif 000013
【図７】
2014198588.tif 000014
【図８】
2014198588.tif 000015
【図９】
2014198588.tif 000016
【図１０】
2014198588.tif 000017
【図１１】
2014198588.tif 000018
【図１２】
2014198588.tif 000019
【図１３】
2014198588.tif 000020
【図１４】
2014198588.tif 000021
【図１５】
2014198588.tif 000022
【図１６】
2014198588.tif 000023
【図１７】
2014198588.tif 000024
【図１８】
2014198588.tif 000025
【図１９】
2014198588.tif 000026